(57)【要約】【課題】生きている者が寝た場合でも寝心地が良いと感じられる適度な弾力性を有し、かつ、火葬の際に有害物質等が発生せず、焼却炉を傷めにくい棺用マットを提供する。【解決手段】棺内に設置して使用するマットであって、合成繊維から成る中芯部材及びカバー部材で構成され、中芯部材及びカバー部材は、燃焼時に有害物質及び有害ガスの発生が無く、燃焼時の発熱量が１２０００ｋｃａｌ／ｋｇ未満であり、中芯部材は、寝具用マットレスとしての弾力性及び通気性を有する。３０〜７０ｍｍの厚みを有することが好ましい。用いられる合成繊維は、ポリエステル繊維又はポリエチレン繊維であり、中芯部材は、ポリエステル繊維又はポリエチレン繊維から成る不織布マットであることが好ましい。【選択図】図３
2020031795.tif 000002
【特許請求の範囲】
【請求項１】
棺内に設置して使用するマットであって、
合成繊維から成る中芯部材及びカバー部材で構成され、
前記中芯部材及びカバー部材は、燃焼時に有害物質及び有害ガスの発生が無く、燃焼時の発熱量が１２０００ｋｃａｌ／ｋｇ未満であり、
前記中芯部材は、寝具用マットレスとしての弾力性及び通気性を有することを特徴とする棺用マット。
【請求項２】
前記中芯部材及びカバー部材は、燃焼時の発熱量が６０００ｋｃａｌ／ｋｇ未満であることを特徴とする請求項１に記載の棺用マット。
【請求項３】
３０〜７０ｍｍの厚みを有することを特徴とする請求項１又は２に記載の棺用マット。
【請求項４】
前記合成繊維は、ポリエステル繊維又はポリエチレン繊維であり、前記中芯部材は、ポリエステル繊維又はポリエチレン繊維から成る不織布マットであることを特徴とする請求項１〜３の何れかに記載の棺用マット。
【発明の詳細な説明】
【技術分野】
【０００１】
本発明は、棺に遺体を収納するに当たり、棺の内部に敷く敷物の技術に関するものである。
【背景技術】
【０００２】
一般に、死者の遺体は、葬儀が終了して焼かれるまでの２〜３日の間、棺の中に収納されたままの状態となる。現在のところ、棺の中に敷く敷物としては、定まったものはなく、通常は白い布や薄い布団が敷かれた上に、遺体が安置される。
【０００３】
遺体はそのままにしておくと、体液等が流出し、また腐敗が進行して腐敗臭が発生するため、ドライアイスが詰められることになるが、ドライアイスが詰められると結露水が発生し、体液等だけではなく、結露水が棺から滲みだしてしまうという問題がある。そこで、吸水性繊維が貼り付けられた遺体保護シートが知られている（特許文献１を参照）。これは、ポリエステル樹脂フィルムなどの表面にアルミニウム蒸着層を形成し、その上に不織布を貼着させたものであり、吸水性だけではなく、断熱性も有することから、ドライアイスの昇華を遅らせることにも有益であるとする。
しかしながら、上記特許文献１に開示された遺体保護シートは、吸水性や断熱性を考慮したものではあるが、寝心地が考慮されたものではない。
【０００４】
そもそも死者となった遺体を収納する以上、寝心地といったものを考慮する必要はないと考えることもできる。しかしながら、遺族にとっては、遺体とはいえ、できる限り寝心地の良い状態で、故人に安らかに眠ってもらいたいと願うのが心情である。そこで、イグサやダンボールを用いた棺に入れるための畳が知られている（特許文献２を参照）。これは、畳表は、天然の草であるイグサから成り、畳縁は、絹や綿から成り、畳床はダンボールで形成されたもので、畳の上で寝させてやりたいと願う遺族の心情に沿うものである。
しかしながら、上記特許文献２に開示された畳は、必ずしも寝心地の良いものではないという問題がある。
【０００５】
死者の遺体を収容する棺であっても、生きている者と同じぐらい寝心地の良い状態とするためには、敷物が適度に弾力性を有していることが必要である。そこで、適度な弾力性を有する棺用寝具が知られている（特許文献３を参照）。これは、可燃性であり燃焼時に無公害の布から成る寝具本体に、同じく可燃性であり燃焼時に無公害のわた及び薄紙を充填することによって、弾力性を持たせたものである。上記特許文献３の棺用寝具によれば、適度な弾力性が得られ、しかも火葬の際に悪臭や有害ガスが出ることもないとされている。そして、素材としては、木綿布、木綿わた等の植物性素材を用いることが好ましく、化繊布や化繊わた等の使用は極力避けるのが良いとされている。
【０００６】
しかしながら、現在では、焼却してもダイオキシン等の有害物質が発生しない化学繊維も存在しており、必ずしも植物性の素材に拘る必要はないといえる。
また、上記特許文献３の棺用寝具では、わたを用いて均一に弾力性を持たせるため薄紙が用いられているが、構造が複雑であり、製造コストが高くなるという問題がある。
【先行技術文献】
【特許文献】
【０００７】
【特許文献１】公開実用新案平４−４７４３４号公報
【特許文献２】実用新案登録第３０８１６６９号公報
【特許文献３】公開実用新案昭６２−１２５５３３号公報
【非特許文献】
【０００８】
【非特許文献１】体圧分散寝具の接触圧と寝心地度の比較（奥村さつきほか）
【発明の概要】
【発明が解決しようとする課題】
【０００９】
上述したように、遺族としては、故人に棺の中でも安らかに眠って欲しいといった心情を持つ遺族は多い。しかしながら、一方で、敷物に用いる材質によっては、火葬の際に有害物質が発生したり、或は、燃焼時の発熱量が高く、焼却炉を傷めやすいものが存在する。
かかる状況に鑑みて、本発明は、生きている者が寝た場合でも寝心地が良いと感じられる適度な弾力性を有し、かつ、火葬の際に有害物質等が発生せず、焼却炉を傷めにくい棺用マットを提供することを目的とする。
【課題を解決するための手段】
【００１０】
上記課題を解決すべく、本発明の棺用マットは、棺内に設置して使用するマットであって、合成繊維から成る中芯部材及びカバー部材で構成され、中芯部材及びカバー部材は、燃焼時に有害物質及び有害ガスの発生が無く、燃焼時の発熱量が１２０００ｋｃａｌ／ｋｇ未満であり、中芯部材は、寝具用マットレスとしての弾力性及び通気性を有することを特徴とする。
中芯部材及びカバー部材が燃焼時に有害物質及び有害ガスが発生し難い合成繊維から成ることにより、環境に配慮した仕様とすることができる。ここで、有害物質とは、環境中に排出されると、ヒトや生態系の健康や生活環境に被害を生じさせるおそれがある汚染物質であり、例えば、有機塩素化合物であるダイオキシンや、大気汚染防止法、土壌汚染対策法などがそれぞれ定める政令によって指定されるカドミウム、鉛およびそれらの化合物、シアン化合物などである。また、有害ガスとは、生物に有害な気体であり、塩素、塩化水素、フッ素、シアン化水素などである。
中芯部材及びカバー部材が燃焼時の発熱量が低い合成繊維から成ることにより、焼却炉を傷めにくい構成とすることができる。具体的な燃焼時の発熱量としては、１２０００ｋｃａｌ／ｋｇ未満であればよいが、６０００ｋｃａｌ／ｋｇ未満であることが好ましい。
中芯部材が、寝具用マットレスとしての弾力性及び通気性を有することにより、寝心地の良い状態で遺体を収容することができ、故人に対する遺族の感情に応えることができる。
ここで寝具用マットレスとしての弾力性とは、棺用マット上に成人の男性又は女性を仰臥位で寝かせた場合の、頭部、肩甲骨部、仙骨部および踵骨部の平均最大接触圧の平均が９０ｍｍＨｇ未満であることを基準とする。かかる範囲であれば、一般的な寝具用マットレスとしての弾力性を有するといえるからである。
また、寝具用マットレスとしての弾力性を有することにより、例えば、出棺の際に棺が傾いても遺体が滑ることなく安定して運ぶことができる。
【００１１】
本発明の棺用マットは、３０〜７０ｍｍの厚みを有することが好ましい。
厚みを３０ｍｍ以上とすることにより、寝心地の良さを維持することができる。また、厚みを７０ｍｍ以下とすることにより、設置後における棺内部の空間を十分に確保することができる。
【００１２】
本発明の棺用マットに用いられる合成繊維は、ポリエステル繊維又はポリエチレン繊維であり、中芯部材は、ポリエステル繊維又はポリエチレン繊維から成る不織布マットであることが好ましい。
ポリエステル繊維やポリエチレン繊維は、燃焼してもダイオキシンを含む有害物質が発生しないため、環境に配慮した仕様とすることができる。また、例えばポリエステル繊維から成る布の燃焼時の発熱量は５５００〜５７００ｋｃａｌ／ｋｇであり、発熱量が低く、焼却炉をより傷めにくいという利点がある。また、ポリエステル繊維やポリエチレン繊維は、燃焼時の燃え残りが無く、遺骨に付着しないという利点もある。さらに、ポリエステル繊維やポリエチレン繊維は、ＲｏＨＳ指令（電子・電気機器における特定有害物質の使用制限についての欧州連合による指令）の対象物質であるカドミウム及びその化合物、六価クロム化合物、鉛及びその化合物、水銀及びその化合物、ポリ臭化ビフェニル類、ポリ臭化ジフェニルエーテル類、フタル酸ジ−２−エチルヘキシン、フタル酸ブチルベンジン、フタル酸ジ−ｎ−ブチル、フタル酸ジイソブチルといったものも含まれていない。
不織布は多孔質構造で通気性・保温性を有しており、編物や織物のように繊維を紡糸する必要はなく、繊維をそのままシート状にできるため、編物や織物よりも低コストで作製可能である。特にポリエステル繊維から成る不織布は、防寒衣料の中わたとして多く使用されており保温性が高く、寝具として適している。また、必要に応じて機能や形状を自由に設計できるため、適度な弾力性を有するマットを容易に作製可能である。
また、ポリエステル繊維から成る不織布は、棺に入れられたドライアイスにより発生する結露水を吸収する吸湿性や、断熱性を備えるという利点もある。
【発明の効果】
【００１３】
本発明の棺用マットによれば、生きている者が寝た場合でも寝心地が良いと感じられる適度な弾力性を有し、かつ、火葬の際に有害物質が発生しないといった効果がある。また、適度な弾力性を有することにより、例えば、出棺の際に棺が傾いても遺体が滑ることなく安定して運ぶことができるといった効果がある。
【図面の簡単な説明】
【００１４】
【図１】棺用マットの説明図
【図２】棺用マットの外観図
【図３】棺用マットの取り付け説明図
【図４】棺用マットの使用イメージ図
【図５】棺用マットの機能説明模式図１
【図６】棺用マットの機能説明模式図２
【発明を実施するための最良の形態】
【００１５】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１６】
図１は、棺用マットの説明図であり、（１）は外観斜視図、（２）は中芯部材の斜視図、（３）は図１（１）に示す棺用マット１のＡ−Ａ断面の模式図を示している。
図１（３）に示すように、棺用マット１は中芯部材２及びカバー部材３から成り、中芯部材２の外表面は、カバー部材３で覆われている。すなわち、図１（１）に示すカバー部材３の内側には図１（２）に示す中芯部材２が設けられている。
中芯部材２は、ポリエステル１００％の不織布から成り、寝具としての弾力性能を有している。カバー部材３は、ポリエステル１００％の布材から成る。
【００１７】
下記表１は、ポリエステル、ナイロン、ポリプロピレン、ポリエチレン、アクリル、ポリウレタン及びポリ塩化ビニルについての燃焼時の発熱量（ｋｃａｌ／ｋｇ）と有害ガス等の発生可能性を表したものである。
【００１８】
【表１】
2020031795.tif 000003
【００１９】
上記表１に示すように、本実施例において不織布及び布材を構成するポリエステルは、燃焼時の発熱量が５５００〜５７００ｋｃａｌ／ｋｇである。他の合成繊維の燃焼時の発熱量についてみると、ナイロンは７３００〜７９００ｋｃａｌ／ｋｇ、ポリプロピレンは１１０００ｋｃａｌ／ｋｇ、ポリエチレンは１１０００ｋｃａｌ／ｋｇ、アクリルは７６００ｋｃａｌ／ｋｇ、ポリウレタンは７０００ｋｃａｌ／ｋｇ、ポリ塩化ビニルは５１００ｋｃａｌ／ｋｇとなっている。したがって、ポリエステルは、燃焼時の発熱量が極めて低く、焼却炉を傷めにくい合成繊維であることが判る。
有害ガス等の発生可能性についてみると、ポリエステル、ポリプロピレン及びポリエチレンについては有害ガス等の発生可能性は無く、ナイロン、アクリル及びポリウレタンについてはシアン化水素の発生可能性があることが判る。また、ポリ塩化ビニルについてはダイオキシンの発生可能性がある。したがって、ポリエステルは、シアン化水素やダイオキシン等の有害ガスや有害物質が発生しないという点においても優れていることが判る。
【００２０】
図２は、棺用マットの外観図であり、（１）は平面図、（２）は正面図を示している。
図２（１）に示すように、棺用マット１の長さＬは１７６４ｍｍ、幅Ｗは４７６ｍｍとなっている。また、図２（２）に示すように、棺用マット１の厚みＴは５０ｍｍとなっている。これは一般的な棺に収まるサイズとしたものである。図２に示す構成とは異なり、長身の遺体用に、棺用マット１の長さＬを１８４７ｍｍとしてもよい。
棺用マット１の弾力性については、頭部、肩甲骨部、仙骨部および踵骨部の平均最大接触圧の平均が約５６．２５ｍｍＨｇとなっている。
これは、非特許文献１に示すように、２０〜３０歳代の成人女性１５名が仰臥位となり、２分間、０．２５秒毎に測定を行ったものである。具体的には、頭部の平均最大接触圧は７３ｍｍＨｇ、肩甲骨部は４５ｍｍＨｇ、仙骨部は６７ｍｍＨｇ、踵骨部は４０ｍｍＨｇであった。
【００２１】
図３は棺用マットの取り付け説明図、図４は棺用マットの使用イメージ図を示している。
図３に示すように、棺用マット１を取り付ける際には、棺本体４１の内側の底部４ａに配置する。棺用マット１は、表裏を逆に取り付けることも可能であるし、左右逆に取り付けることも可能である。これにより、表裏又は左右を間違えて取り付けるといったことが無くなり、取り付け時の利便性が向上する。
図４に示すように、棺用マット１が取り付けられた状態では、棺用マット１は棺本体４１の底部４ａ全体を覆うように取り付けられている。
【００２２】
図５及び図６は、棺用マットの機能説明模式図であり、図５は棺用マットを使用しない場合、図６は棺用マットを使用した場合を示している。また、図５及び図６のいずれも（１）は傾きのない状態、（２）は傾きのある状態を示している。いずれの図も、棺内に遺体５が安置され、遺体５の頭側から見た場合の断面模式図を示している。
図５（１）に示すように、棺４は棺本体４１及び蓋４２から成り、棺用マット１を使用しない場合では、遺体５は棺４の底部４ａにそのまま安置され、蓋４２が取り付けられている。
かかる状態で、出棺などのために棺４が複数人の手（図示せず）により持ち上げられると、持ち上げる人の筋力の違いにより棺４が傾くことが考えられる。
例えば、図５（２）に示すように、棺４の左側が矢印６ａに示す方向に下がり、又は、棺４の右側が矢印６ｂに示す方向に上がることで、棺４が左に傾くといったことが発生しうる。そうすると、棺４の内部に安置された遺体５は、重力によって底部４ａを矢印６ｃに示す方向に滑ることになる。これは、棺４の内部に花や遺品が敷き詰められていても起こりうることである。
このように棺４の内部で遺体５が左右に移動すると、バランスが悪くなり、運搬しづらくなるといった問題がある。
【００２３】
これに対して、図６では、棺４の底部４ａに棺用マット１が敷かれている。
前述したように、棺用マット１は、寝具としての弾力性能を有するため、図６（１）に示すように、遺体５をしっかりと受け止め、かかる状態を保持することができる。
したがって、例えば、図６（２）に示すように、棺４の左側が矢印６ａに示す方向に下がり、又は、棺４の右側が矢印６ｂに示す方向に上がることで、棺４が左に傾いたとしても、棺４の内部に安置された遺体５は、底部４ａを滑ることなく、安置された状態を維持することができる。
【産業上の利用可能性】
【００２４】
本発明は、棺の内部に敷く敷物として有用である。
【符号の説明】
【００２５】
１          棺用マット
２          中芯部材
３          カバー部材
４          棺
４ａ        底部
５          遺体
６ａ〜６ｃ  矢印
４１        棺本体
４２        蓋
Ｌ          長さ
Ｔ          厚み
Ｗ          幅
【図１】
2020031795.tif 000004
【図２】
2020031795.tif 000005
【図３】
2020031795.tif 000006
【図４】
2020031795.tif 000007
【図５】
2020031795.tif 000008
【図６】
2020031795.tif 000009